(57)【要約】【課題】枠体等の導電板を薄肉化したり回路基板と導電板の間隔を低減したりしても電気的な導通状態を確実かつ十分に確保できる実装構造体を提供する。【解決手段】本発明の実装構造体１００は、一方の面１１０Ａに導電領域Ｇを備えた回路基板１１０と、該回路基板の前記一方の面とは反対側に配置されて前記回路基板を支持する導電板１２０と、前記回路基板及び前記導電板の縁部１１１、１２１同士を弾性力により挟圧保持する導電性材料からなる弾性部材１３０とを有し、前記弾性部材は、前記回路基板の縁部１１１の外側から当該縁部と重なるように延在して前記導電領域Ｇに圧接する第１部分１３１と、前記導電板の縁部１２１の外側から当該縁部と重なるように延在して前記導電板の前記回路基板とは反対側の面に圧接する第２部分１３２と、前記第１部分と前記第２部分を連結する連結部分１３３とを一体に備えている。【選択図】図１
2010226001.tif 000002
【特許請求の範囲】
【請求項１】
一方の面に導電領域を備えた回路基板と、該回路基板の前記一方の面とは反対側に配置されて前記回路基板を支持する導電板と、前記回路基板及び前記導電板の縁部同士を弾性力により挟圧保持する導電性材料からなる弾性部材とを具備し、
前記弾性部材は、前記回路基板の縁部の外側から当該縁部と重なるように延在して前記端子に圧接する第１部分と、前記導電板の縁部の外側から当該縁部と重なるように延在して前記導電板の前記回路基板とは反対側の面に圧接する第２部分と、前記第１部分と前記第２部分を連結する連結部分とを一体に備えていることを特徴とする実装構造体。
【請求項２】
前記回路基板の前記縁部と前記導電板の前記縁部には相互に重なる位置に凹部がそれぞれ形成され、前記弾性部材の前記連結部分が前記凹部内を通過していることを特徴とする請求項１に記載の実装構造体。
【請求項３】
前記第２部分には前記導電板側に突出する突出部が設けられ、前記導電板には前記突出部が嵌入する係合用開口が設けられ、前記突出部と前記係合用開口の係止により前記弾性部材が抜け止めされることを特徴とする請求項１又は２に記載の実装構造体。
【請求項４】
前記回路基板には、前記第１部分と重ならない位置に前記導電板の前記係合用開口に連通する連通開口部が形成されていることを特徴とする請求項３に記載の実装構造体。
【請求項５】
電気光学パネルと、該電気光学パネルに直接若しくは間接的に接続され、一方の面に導電領域を備える回路基板と、該回路基板の前記一方の面とは反対側に配置されて前記回路基板を支持する導電板を備え、前記電気光学パネルを収容するケース体と、前記回路基板と前記導電板の縁部同士を弾性力により挟圧保持する弾性部材とを具備し、
前記弾性部材は、前記回路基板の縁部の外側から当該縁部と重なるように延在して前記導電領域に圧接する第１部分と、前記導電板の縁部の外側から当該縁部と重なるように延在して前記導電板の前記回路基板とは反対側の面に圧接する第２部分と、前記第１部分と前記第２部分を連結する連結部分とを一体に備えていることを特徴とする電気光学装置。
【請求項６】
前記回路基板及び前記導電板は前記電気光学パネルと平面的に重なるように配置され、前記導電板は前記回路基板の前記電気光学パネルの側に設けられ、前記弾性部材は、前記回路基板の外縁部と、当該外縁部に重なる前記導電板に設けられた開口部の内縁部とを挟圧保持することを特徴とする請求項５に記載の電気光学装置。
【請求項７】
前記回路基板及び前記導電板は前記電気光学パネルと平面的に重なるように配置され、前記導電板は前記回路基板の前記電気光学パネルとは反対側に設けられ、前記弾性部材は、前記回路基板の外縁部と、当該外縁部に重なる前記導電板に設けられた外縁部とを挟圧保持することを特徴とする請求項５に記載の電気光学装置。
【請求項８】
前記回路基板及び前記導電板は前記電気光学パネルの平面範囲の外側に配置され、前記弾性部材は、前記回路基板の外縁部と、当該外縁部に重なる前記導電板の外縁部とを挟圧保持することを特徴とする請求項５に記載の電気光学装置。
【請求項９】
請求項５乃至８のいずれか一項に記載の電気光学装置と、該電気光学装置の制御手段とを備えたことを特徴とする電子機器。
【発明の詳細な説明】
【技術分野】
【０００１】
本発明は実装構造体、電気光学装置及び電子機器に関する。
【背景技術】
【０００２】
一般に、電気光学装置、例えば、液晶装置は導電性の枠体の中にバックライトと液晶パネルが積層状態で収容され、この液晶パネルの端縁には可撓性のフィルム状の配線部材（以下、フレキシブル基板（ＦＰＣ：Flexible Printed Circuit、）という。）が実装され、該配線部材は液晶パネルの端縁から張り出すように配置される。このフレキシブル基板の先端には、液晶パネルを駆動するドライバーＩＣや信号処理を行う回路基板等の回路要素が実装されたＰＣＢ基板（ＰＣＢ：Printed Circuit Board）等の回路基板が接続される場合がある。この場合、回路基板の回路要素における電磁雑音（ＥＭＩ：Electro Magnetic Interference）などの電気的ノイズを低減するために、当該回路基板のＧＮＤ領域を上記枠体に電気的に接続している。
【０００３】
この回路基板のＧＮＤ領域と枠体の電気的な接続構造としては、例えば特許文献１に記載されたものが知られている。特許文献１には、センターシャーシと樹脂シャーシの上に、フレキシブル基板を介して回路基板が接続された液晶パネルを載置し、その上にフロントシャーシを被せてからバックライトと組み合わせてなる液晶表示装置において、前記回路基板のＧＮＤ領域とセンターシャーシにそれぞれねじ孔を形成して、導電性の固定ねじを各ねじ孔に挿通して締結することによって、当該固定ねじを介して回路基板のＧＮＤ領域とセンターシャーシを電気的に接続した第１の接続構造が記載されている（図４参照）。また、回路基板のセンターシャーシ側にＧＮＤ領域を形成するとともに、センターシャーシに当該ＧＮＤ領域に向かって突出する凸部を形成し、この状態で、回路基板とセンターシャーシをねじ止めすることによって、センターシャーシの凸部を回路基板のＧＮＤ領域に当接させて、回路基板のＧＮＤ領域とセンターシャーシを電気的に接続した第２の接続構造も記載されている（図５参照）。
【先行技術文献】
【特許文献】
【０００４】
【特許文献１】特開２００８−８３５８４号公報（図４、図５）
【発明の概要】
【発明が解決しようとする課題】
【０００５】
しかしながら、上記第１の接続構造のように固定ねじを介在させて導通をとる場合には、当該固定ねじの頭部が回路基板のＧＮＤ領域に当接するとともに固定ねじのねじ山が枠体のねじ孔のねじ溝に接触することによって当該固定ねじを介して回路基板のＧＮＤ領域と枠体とが電気的に接続されているため、薄い枠体を用いると、固定ねじと枠体との接触面積が減少して回路基板のＧＮＤ領域と枠体との導通を確実に得ることができないとともに、枠体の薄肉化が難しくなるので、装置のコンパクト化を妨げる場合があるという問題がある。
【０００６】
一方、上記第２の接続構造のように枠体の凸部を回路基板のＧＮＤ領域に当接させる場合には、枠体と回路基板との間に凸部の突出量に対応する或る程度の間隔が必要となるので、やはり装置のコンパクト化を図る際の障害になるという問題点がある。
【０００７】
そこで、本発明は上記問題点を解決するものであり、その課題は枠体等の導電板を薄肉化したり回路基板と導電板の間隔を低減したりしても電気的な導通状態を確実かつ十分に確保できる実装構造体、及び、これを備えた電気光学装置、並びに、電子機器を提供することにある。
【課題を解決するための手段】
【０００８】
斯かる実情に鑑み、本発明の実装構造体は、一方の面に導電領域を備えた回路基板と、該回路基板の前記一方の面とは反対側に配置されて前記回路基板を支持する導電板と、前記回路基板及び前記導電板の縁部同士を弾性力により挟圧保持する導電性材料からなる弾性部材とを有し、前記弾性部材は、前記回路基板の縁部の外側から当該縁部と重なるように延在して前記導電領域に圧接する第１部分と、前記導電板の縁部の外側から当該縁部と重なるように延在して前記導電板の前記回路基板とは反対側の面に圧接する第２部分と、前記第１部分と前記第２部分を連結する連結部分とを一体に備えていることを特徴とすることを特徴とする。
【０００９】
この発明によれば、弾性部材の第１部分が回路基板の一方の面上の導電領域に圧接するとともに弾性部材の第２部分が導電板の回路基板とは反対側の面に圧接して、弾性部材が回路基板と導電板の縁部同士を弾性力で挟圧保持することにより、弾性部材によって上記端子と導電板とが導電接続される。したがって、弾性部材を回路基板と導電板の縁部同士の重なった部分に挿入するだけで容易に装着できるとともに、回路基板と導電板の挟圧保持力に伴う電気的導通を確実に得ることができる。
【００１０】
なお、上記の縁部とは、回路基板と導電板の平面的形状を画する部分を言い、外縁部であっても内縁部であってもよい。内縁部とは、例えば回路基板や導電板に開口が設けられた場合には当該開口の内縁部を言う。
【００１１】
本発明の一の態様においては、前記回路基板の前記縁部と前記導電板の前記縁部には相互に重なる位置に凹部がそれぞれ形成され、前記弾性部材の前記連結部分が前記凹部内を通過している。これによれば、回路基板と導電板の両凹部を弾性部材の連結部分が通過することで、弾性部材の回路基板及び導電板に対する取付位置を縁部に沿った方向に見て位置決めすることができるため、弾性部材の装着作業において弾性部材の位置が上記導電領域から外れて導通不良を起こす虞を低減できる。また、回路基板と導電板の両縁部から外側への弾性部材の突出量を低減することができる。この場合、前記連結部分が前記凹部の両側の縁部より内側に配置されることが上記突出量をなくすことができる点でより望ましい。
【００１２】
本発明の他の態様においては、前記第２部分には前記導電板側に突出する突出部が設けられ、前記導電板には前記突出部が嵌入する係合用開口が設けられ、前記突出部と前記係合用開口の係止により前記弾性部材が抜け止めされる。これによれば、簡単な構造によって弾性部材が回路基板及び導電板から脱落することを防止できる。
【００１３】
この場合において、前記回路基板には、前記第１部分と重ならない位置に前記導電板の前記係合用開口に連通する連通開口部が形成されていることが好ましい。これによれば、回路基板側より連通開口部を通して係合用開口に係止された突出部を押し出して抜け止め状態を解除することができるので、回路基板及び導電板から弾性部材を容易に取り外すことが可能になる。
【００１４】
次に、本発明の電気光学装置は、電気光学パネルと、該電気光学パネルに直接若しくは間接的に接続され、一方の面に導電領域を備える回路基板と、該回路基板の前記一方の面とは反対側に配置されて前記回路基板を支持する導電板を備え、前記電気光学パネルを収容するケース体と、前記回路基板と前記導電板の縁部同士を弾性力により挟圧保持する弾性部材とを具備し、前記弾性部材は、前記回路基板の縁部の外側から当該縁部と重なるように延在して前記導電領域に圧接する第１部分と、前記導電板の縁部の外側から当該縁部と重なるように延在して前記導電板の前記回路基板とは反対側の面に圧接する第２部分と、前記第１部分と前記第２部分を連結する連結部分とを一体に備えていることを特徴とする。
【００１５】
本発明の一の態様においては、前記回路基板及び前記導電板は前記電気光学パネルと平面的に重なるように配置され、前記導電板は前記回路基板の前記電気光学パネルの側に設けられ、前記弾性部材は、前記回路基板の外縁部と、当該外縁部に重なる前記導電板に設けられた開口部の内縁部とを挟圧保持する。ここで、前記回路基板の外縁部は、当該回路基板における前記電気光学パネルと前記回路基板の接続部とは反対側の外縁部であることが好ましい。
【００１６】
本発明の他の態様においては、前記回路基板及び前記導電板は前記電気光学パネルと平面的に重なるように配置され、前記導電板は前記回路基板の前記電気光学パネルとは反対側に設けられ、前記弾性部材は、前記回路基板の外縁部と、当該外縁部に重なる前記導電板に設けられた外縁部とを挟圧保持する。ここで、前記回路基板の外縁部は、当該回路基板における前記電気光学パネルと前記回路基板との接続部とは反対側の外縁部であることが好ましい。
【００１７】
本発明の別の態様においては、前記回路基板及び前記導電板は前記電気光学パネルの平面範囲の外側に配置され、前記弾性部材は、前記回路基板の外縁部と、当該外縁部に重なる前記導電板の外縁部とを挟圧保持する。ここで、前記回路基板の外縁部は、当該回路基板の前記電気光学パネルとは反対側の外縁部であることが好ましい。
【００１８】
上記各発明において、前記導電板は、電気光学パネルを収容する枠体、照明ユニットなどの放熱を行う放熱板、回路基板を被覆する保護カバーなどであり、電気光学パネルを収容するケース体の一部を構成するものであれば如何なるものであってもよい。
【００１９】
本発明の電気光学装置において、電気光学パネルとしては、液晶表示パネルに限らず、有機ＥＬディスプレイパネル、ＥＰＤ（マイクロカプセル型電気泳動ディスプレイ）パネル、プラズマディスプレイパネル等が挙げられる。
【００２０】
本発明の電子機器は、上記のいずれかの電気光学装置と、該電気光学装置を制御する制御手段とを備えたことを特徴とする。このような電子機器としては特に限定されないが、カーナビゲーションシステム、携帯電話機、電子時計、携帯型情報端末、テレビジョン受像機等が挙げられる。
【発明の効果】
【００２１】
本発明によれば、導電板を薄肉化したり回路基板と導電板の間隔を低減したりしても電気的な導通状態を確実かつ十分に確保できるという優れた効果を奏し得る。
【図面の簡単な説明】
【００２２】
【図１】本発明に係る第１実施形態の電気光学装置の基板実装部を回路基板側から見た状態を模式的に示す拡大概略斜視図。
【図２】図１の基板実装体を枠体側から見た状態を模式的に示す概略斜視図。
【図３】第１実施形態の基板実装体を模式的に示す拡大部分断面図。
【図４】第２実施形態の基板実装体を模式的に示す拡大部分断面図。
【図５】第３実施形態の基板実装体を回路基板側から見た状態を模式的に示す拡大概略斜視図。
【図６】本発明に係る第４実施形態の電気光学装置の全体構成を模式的に示す概略平面図。
【図７】本発明に係る第４実施形態の電気光学装置の全体構成を模式的に示す概略背面図。
【図８】図６のVIII−VIII′線の断面を模式的に示す概略縦断面図。
【図９】第５実施形態の電気光学装置の全体構成を模式的に示す概略縦断面図。
【図１０】第６実施形態の電気光学装置の全体構成を模式的に示す概略縦断面図。
【図１１】第７実施形態の電気光学装置の全体構成を模式的に示す概略縦断面図。
【図１２】電子機器の外観を示す概略斜視図。
【図１３】電子機器の表示制御系の概略構成を示す概略ブロック図。
【発明を実施するための形態】
【００２３】
次に、添付図面を参照して本発明に係る実装構造体及び電気光学装置の実施形態について詳細に説明する。なお、以下に説明する第１実施形態及び第３実施形態の実装構造体は、いずれも後述する第４実施形態乃至第７実施形態の電気光学装置に適用可能な構成について示すものである。
【００２４】
［第１実施形態］
最初に、本発明に係る第１実施形態の実装構造体の第１実施形態について図１を参照して説明する。図１は本発明に係る第１実施形態の実装構造体を回路基板側から見た状態を模式的に示す拡大概略斜視図、図２は図１の実装構造を枠体側から見た状態を模式的に示す概略斜視図、図３は第１実施形態に係る実装構造体の一部を部分的に示す拡大部分断面図である。
【００２５】
図１に示すように、実装構造体１００は、一方の面（図示上面）１１０Ａに導体パターンが露出してなる端子などの導電領域Ｇを備えた回路基板１１０と、この回路基板１１０の上記一方の面１１０Ａとは反対側の他方の面（図示下面）の側に重ねて配置された導電板１２０と、回路基板１１０及び導電板１２０を狭持する弾性部材１３０とを有している。
【００２６】
図１又は図２に示すように上記回路基板１１０は板状体であり、その表面１１０ＡにはコンデンサやＩＣチップ等の電子部品ａ、ｂを実装した図示しない電気回路が形成されているとともに、この回路基板１１０の外縁部１１１には凹部１１０ａが形成されている。この凹部１１０ａには上記導電領域Ｇが隣接して設けられている。この例では、導電領域Ｇは電気回路のＧＮＤ（Ｇｒｏｕｎｄ：接地）用の端子となっている。
【００２７】
また、導電板１２０は金属等の導電性材料から構成された板状体であり、この導電板１２０の外縁部１２１には凹部１２０ａが形成されている。この凹部１２０ａは回路基板１１０の凹部１１０ａと平面的に重なる位置に配置され、互いに連通している。
【００２８】
弾性部材１３０は金属や導電性樹脂等の弾性を有する導電性材料で構成される。弾性部材はＵ字状の断面を有し、所定間隔を空けて相互に対向配置された第１部分１３１及び第２部分１３２と、第１部分１３１と第２部分１３２を連結する連結部分１３３とを有している。この第１部分１３１と第２部分１３２の相互に対向する内面にはそれぞれ平坦な当接部分１３１Ａ、１３２Ａが設けられている。
【００２９】
弾性部材１３０は回路基板１１０と導電板枠体１２０のそれぞれの凹部１１０ａ、１２０ａに嵌合し、回路基板１１０の外縁部１１１と導電板１２０の外縁部１２１を挟圧保持している。このとき、第１部分１３１は回路基板１１０の凹部１１０ａ内において外縁部１１１の外側から当該外縁部１１１と重なるように延在し、弾性部材１３０の弾性力により上記導電領域Ｇに圧接している。また、第２部分１３２は導電板１２０の凹部１２０ａ内において外縁部１２１の外側から当該外縁部１２１と重なるように延在し、弾性部材１３０の弾性力により導電板１２０の上記回路基板１１０とは反対側の面に圧接している。さらに、上記状態では、連結部分１３３は凹部１１０ａと１２０ａの内部を通過し、その結果、凹部１１０ａ、１２０ａの両側の外縁部１１１、１２１に対する弾性部材１３０の外側への突出量が低減されるか、完全になくなるように構成される。図示例では連結部分１３３は凹部１１０ａ、１２０ａの内部に完全に収容されるので、上記突出量は存在しない。
【００３０】
上記のようにして、本実施形態では、弾性部材１３０の弾性力によって回路基板１１０の外縁部１１１と導電板１２０の外縁部１２１とが挟圧保持されるとともに、弾性部材１３０を介して導電領域Ｇと導電板１２０とが導電接続される。この導電接続構造は、回路基板１１０と導電板１２０の挟圧保持力がそのまま導電コンタクト圧となるため、確実で十分な電気的導通構造となっている。
【００３１】
ここで、第１部分１３１と第２部分１３２にはそれぞれ平坦な当接部分１３１Ａ、１３２Ａが設けられ、当接部分１３１Ａと導電領域Ｇとが面接触状態になるとともに、当接部分１３２Ａと導電板１２０も面接触状態とされているので、十分な導電接触面積が確保され、その結果、安定かつ確実な導通状態が実現される。
【００３２】
図示例においては、上記弾性部材１３０の第２部分１３２には、上記当接部分１３２Ａよりも連結部分１３３の側に第１部分１３１の側に突出した突出部である突片部１３２ａが設けられている。この突片部１３２ａは、第２部分１３２において幅方向に伸びる第１の切り込み線の両端からそれぞれ先端側へ伸びる第２及び第３の切り込み線が形成されてなるＵ字状の切り込み１３２ｂを形成し、これらの三つの切り込み線に囲まれた領域を第１部分１３１側へ屈折させることにより構成されている。これにより、突片部１３２ａは第２部分１３２の先端側から基端側へ向けて斜めに突出した片状とされる。
【００３３】
一方、導電板１２０には、上記の突片部１３２ａが嵌合可能な係合用開口１２０ｂが形成されている。
この係合用開口１２０ｂには上記突片部１３２ａが嵌入している。これにより、突片部１３２ａが外縁部１２１側に移動しようとすると係合用開口１２０ｂの外縁部１２１側の開口縁に係止されるので、弾性部材１３０は抜け止めされ、回路基板１１０及び導電板１２０に対し弾性部材１３０の脱落を防止することができる。なお、上記突片部１３２ａは第２部分１３２の基部側に斜めに突出しているので、弾性部材１３０を回路基板１１０の外縁部１１１及び導電板１２０の外縁部１２１に装着するために挿入する際には、突片部１３２ａの形成によって生じた開口部１３２ｂ内に格納される形で弾性変形することで装着時の障害とはならないようになっている。
【００３４】
本実施形態では、上記のように弾性部材１３０が回路基板１１０の外縁部１１１と導電板１２０の外縁部１２１とを挟圧保持することにより導電領域Ｇと導電板との導通を確保できるので、導電板１２０が薄くても十分な導電接続性を得ることができるとともに、回路基板１１０と導電板１２０の間隔を確保する必要もなく、したがって、安定且つ確実な導電接続構造をコンパクトに構成することができる。
【００３５】
［第２実施形態］
次に、図４を参照して第２実施形態に係る実装構造体について説明する。図４は第２実施形態の実装構造体の一部を部分的に示す概略縦断面図である。この場合において第１実施形態と同一部分については同一符号を付しその説明を省略する。
【００３６】
本実施形態では、図４に示すように、回路基板２１０の外縁部２１１には連通開口部２１０ｂが形成されている。この連通開口部２１０ｂは、導電領域Ｇに隣接し、しかも、第１部分１３１の当接部分１３１Ａが導電領域Ｇに当接した状態で回路基板２１０の外縁部２１１と導電板１２０の外縁部１２１を挟圧保持しているときに、第１部分１３１と平面的に重ならず、しかも、第２部分１３２の上記突片部１３２ａ若しくは導電板１２０の係合用開口１２０ｂと平面的に重なる位置に形成される。
【００３７】
この第２実施形態においては、ピンなどの針状部材Ｐを回路基板２１０の連通開口部２１０ｂを通して導電板１２０の係合用開口１２０ｂ内に嵌入している弾性部材１３０の突片部１３２ａを押し出すことにより、突片部１３２ａの係合用開口１２０ｂに対する係止状態を解除することができる。したがって、弾性部材１３０を回路基板２１０と導電板１２０から容易に取り外すことができる。
【００３８】
［第３実施形態］
次に、図５を参照して第３実施形態に係る実装構造について説明する。図５は第３実施形態の実装構造体の一部を回路基板側から見た状態を模式的に示す拡大概略斜視図である。この場合において第１実施形態と同一部分については同一符号を付しその説明を省略する。
【００３９】
この第３実施形態では、導電板２２０の中央部分に開口部２２０ａが形成され、この開口部２２０ａの内縁部（開口縁）２２１と回路基板１１０の外縁部１１１とが平面的に重ねられ、当該内縁部２２１と外縁部１１１を弾性部材１３０が挟圧保持している。また、内縁部２２１には凹部２２１ａが形成され、この凹部２２１ａは回路基板１１０の外縁部１１１に設けられた凹部１１０ａと平面的に重なるように配置される。この場合、内縁部２２１に凹部２２１ａを形成せずに、導電板２２０の内縁部２２１を、回路基板１１０の外縁部１１１に設けられた凹部１１０ａと平面的に重なるように配置してもよい。
【００４０】
この第３実施形態においては、導電板２２０の開口部２２０ａの内縁部２２１と回路基板１１０の外縁部１１１とが弾性部材１３０で挟圧保持されるとともに導電領域Ｇと導電板２２０とが導電接続される。このように、弾性部材１３０が回路基板と導電板の縁部同士を挟圧保持していればよいが、当該縁部は、外縁部であっても内縁部すなわち開口縁であってもよい。もちろん、回路基板１１０に図示しない開口部を設け、この開口部の内縁部（開口縁）に弾性部材１３０が装着されていてもよい。
【００４１】
本実施形態では、回路基板と導電板の少なくとも一方に開口部が設けられ、弾性部材の装着される縁部が内縁部となっているので、弾性部材による回路基板と導電板の挟圧保持位置を大幅に自由に設定することが可能になる。すなわち、上記開口部さえ設ければ、回路基板や導電板の内部の任意の箇所に導電接続構造を形成できる。
【００４２】
［第４実施形態]
次に、本発明に係る第４実施形態の電気光学装置４００の全体構成について図６乃至図８を参照して説明する。本実施形態の電気光学装置４００は、表示面４１０Ａを備えた液晶表示体で構成される電気光学パネル４１０と、この電気光学パネル４１０の背面側（表示面４１０Ａとは反対側）に配置された照明ユニット４２０とを有する。電気光学パネル４１０にはフレキシブル配線基板４１１を介して回路基板４１２が接続されている。上記の照明ユニット４２０は、ＬＥＤ等の光源４２１と、当該光源４２１と対向する光入射面を端面部に備えた導光板４２２と、導光板４２２の背面側に配置された反射板４２３とを備えている。
【００４３】
また、上記電気光学パネル４１０及び照明ユニット４２０は樹脂製の保持枠４３１と、この保持枠４３１に対して前面側（表示面４１０Ａ側）から取り付けられ、表示面４１０Ａを露出させる開口部４３２ａを備えた前面枠４３２と、保持枠４３１に対して背面側から取り付けられ、主として照明ユニット４２０の発生する熱を放散するための上記導電板に相当する放熱板４３３とを備えている。上記保持枠４３１、前面枠４３２及び放熱板４３３は共に金属等の導電材料で構成され、電気光学パネル４１０を収容するケース体を構成する。
【００４４】
上記回路基板４１２は、上記電気光学パネル４１０と平面的に重なる範囲において上記放熱板４３３の背面上に配置される。放熱板４３３には開口部４３３ａが設けられ、この開口部４３３ａの一方の内縁部４３３ｂと、回路基板４１２の外縁部４１２ｂとが弾性部材１３０によって挟圧保持されている。なお、この場合に、図示例では弾性部材１３０の第２部分を挿入可能とするために、放熱板４３３と照明ユニット４２０との間に間隔が設けられている。
【００４５】
弾性部材１３０は上記第１乃至第３実施形態に示すようにして回路基板４１２を放熱板４３３に固定するとともに、回路基板４１２の図示しない接地用の導電領域を放熱板４３３に導電接続している。また、回路基板４１２は放熱板４３３とは反対側（背面側）から金属カバー４３４によって覆われている。この金属カバー４３４は前面枠４３２（又は放熱板４３３）に対して図示しない側面部等において固定されている。このように、本実施形態では、前面枠４３２、放熱板４３３及び金属カバー４３４の導電体の内部に回路基板４１２が収容されることにより、十分なＥＭＩ対策が講じられている。
【００４６】
本実施形態によれば、弾性部材１３０を用いることにより、電気光学パネル４１０の背面側において放熱板４３３上に回路基板４１２を密接して固定するとともに回路基板４１２の導電領域を放熱板４３３に導電接続して接地しているので、放熱板４３３が薄くても十分な電気的な接地が可能になるとともに、装置全体をコンパクトに構成できる。
【００４７】
［第５実施形態］
次に、図９を参照して本発明に係る第５実施形態の電気光学装置５００について説明する。本実施形態において第４実施形態と同一部分には同一符号を付し、それらの説明は省略する。
【００４８】
本実施形態でも、第４実施形態と同様の電気光学パネル４１０及び照明ユニット４２０を保持枠４３１、前面枠４３２及び放熱板４３３によって構成されるケース体に収容している点は同様である。ただし、本実施形態では、電気光学パネル４１０と平面的に重なる範囲において、前面枠４３２若しくは放熱板４３３に対して放熱板４３３の背面側に配置された導電材料からなる導電板である支持板５３３が図示しない側面部等において接続固定されている。この支持板５３３はフレキシブル配線基板４１１を介して電気光学パネル４１０に接続された回路基板４１２を支持している。この回路基板４１２は電気光学パネル４１０の平面範囲内に配置される。
【００４９】
また、回路基板４１２の電気光学装置４１０側の外縁部４１２ｂと、支持板５３３の同側の外縁部５３３ｂとは上記各実施形態と同様の弾性部材１３０によって挟圧保持され、回路基板４１２上に設けられた図示しない導電領域が支持板５３３に導電接続されている。回路基板４１２は放熱板４３３と支持板５３３の間に配置される。
【００５０】
なお、図示点線で示すように、支持板５３３に第３実施形態と同様の開口部５３３ａを設け、この開口部５３３ａの内縁部５３３ｂと回路基板４１２の外縁部４１２ｂとを弾性部材１３０により挟圧固定してもよい。
【００５１】
本実施形態では、回路基板４１２を電気光学パネル４１０の背面側に配置できるとともに、放熱板４３３に開口を設けることなく回路基板４１２と支持板５３３を弾性部材１３０により固定しつつ導電領域を接地している。したがって、構造を複雑化することなくコンパクトな構造を実現でき、また、組立作業も容易になる。さらにＥＭＩ対策も十分に講じられる。
【００５２】
［第６実施形態］
次に、図１０を参照して本発明に係る第６実施形態の電気光学装置６００について説明する。本実施形態においても第４実施形態と同一部分には同一符号を付し、それらの説明は省略する。
【００５３】
本実施形態でも、第４実施形態と同様の電気光学パネル４１０及び照明ユニット４２０を保持枠４３１、前面枠４３２及び放熱板４３３によって構成されるケース体に収容している点は同様である。ただし、本実施形態では、放熱板４３３に導電材料からなる導電板である支持板６３３が接続固定され、この支持板６３３は電気光学パネル４１０の平面範囲の外側に延在している。支持板６３３はフレキシブル配線基板４１１を介して電気光学パネル４１０に接続された回路基板４１２を支持している。この回路基板４１２は電気光学パネル４１０の平面範囲の外側に配置される。
【００５４】
また、回路基板４１２の電気光学装置４１０とは反対側の外縁部４１２ｂと、支持板６３３の同側の外縁部６３３ｂとは上記各実施形態と同様の弾性部材１３０によって挟圧保持され、回路基板４１２上に設けられた図示しない導電領域が支持板６３３に導電接続されている。
【００５５】
支持板６３３の前面側には金属カバー６３４が配置され、図示しない側面部等において係合することにより支持板６３３に固定されている。この金属カバー６３４は回路基板４１２を前面側から覆っている。
【００５６】
本実施形態では、弾性部材１３０を用いることにより回路基板４１２と支持板６３３を間隔を設けずに固定でき、支持板６３３を薄くしても電気的な接地も確実に行うことができるので、装置の薄型化を図ることができる。
【００５７】
［第７実施形態］
次に、図１１を参照して本発明に係る第６実施形態の電気光学装置７００について説明する。本実施形態において第６実施形態と同一部分には同一符号を付し、それらの説明は省略する。
【００５８】
本実施形態では上記第６実施形態と同様に支持板７３３が電気光学パネル４１０の平面範囲の外側に延在し、この支持板７３３上に弾性部材１３０により回路基板４１２が固定されている。ただし、本実施形態では、支持板７３３の回路基板４１２の支持部分が電気光学パネル４１０の表示面に対してやや傾くように途中で屈折している点で第６実施形態とは異なる。
【００５９】
支持板７３３が上述のように屈折していることにより、支持板７３３の幅方向の支持剛性を高めることができる。また、支持板７３３を適宜の角度に屈折させることにより、電気光学装置７００を電子機器の内部に搭載した場合に、最適な搭載姿勢や電気的接続姿勢となるように構成できる。
【００６０】
本実施形態でも、弾性部材１３０を用いることにより回路基板４１２と支持板７３３を間隔を設けずに固定でき、支持板７３３を薄くしても電気的な接地も確実に行うことができるので、装置の薄型化を図ることができる。
【００６１】
[電子機器]
最後に、図１２及び図１３を参照して本発明に係る電子機器の実施形態について説明する。図１２は、本実施形態の電気光学装置４００を搭載した電子機器の例を示す概略斜視図である。なお、電気光学装置としては上記の他の実施形態を搭載することも可能である。
【００６２】
図１２に示す電子機器１０００は車載用のカーナビゲーションシステムであり、本体１０１０と、この本体１０１０に接続された表示部１０２０とを備えている。本体１０１０には操作ボタン等を配設した操作面１０１２が設けられている。表示部１０２０の内部には上記の電気光学装置４００が格納され、この電気光学装置４００の上記表示面４００Ａ、すなわちナビゲーション画像の表示が表示部１０２０の表示画面にて視認できるように構成されている。
【００６３】
図１３は電子機器１０００に搭載された電気光学装置４００に対する制御系（表示制御系）の全体構成を示す概略構成図である。ここに示す電子機器１０００は、表示情報出力源２９１と、表示情報処理回路２９２と、電源回路２９３と、タイミングジェネレータ２９４と、照明ユニット４２０への電力供給を行う光源制御回路２９５とを含む表示制御回路２９０を有する。また、電気光学装置４００には、上述の構成を有する電気光学パネル４１０と、このパネル４１０を駆動する駆動回路４１０Ｄと、パネル４１０を照明する照明ユニット（バックライト）４２０とが設けられている。
【００６４】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００６５】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路４１０Ｄへ供給する。駆動回路４１０Ｄは、走査線駆動回路、信号線駆動回路及び検査回路を含む。また、電源回路２９３は、上述の各構成要素にそれぞれ所定の電圧を供給する。
【００６６】
光源制御回路２９５は、電源回路２９３から供給される電圧に基づいて照明ユニット４２０の光源に電力を供給し、所定の制御信号に基づいて光源の点灯の有無及びその輝度等を制御するようになっている。
【００６７】
また、本発明に係る電子機器としては、図１２に示すカーナビゲーション装置の他に、液晶テレビ、携帯電話機、電子手帳、電卓、ワークステーション、テレビ電話、ＰＯＳ端末機などが挙げられる。そして、これらの各種電子機器の表示部として本発明に係る電気光学装置を用いることができる。ただし、本発明は電気光学装置のＥＭＩ対応性やコンパクト性が向上するという特徴を有するため、特に、携帯電話、電子時計、携帯型情報端末などといった小型の携帯型電子機器や電磁障害が問題となりやすい車載用の電子機器に用いる場合に有効である。
【００６８】
尚、本発明の実装構造体、電気光学装置及び電子機器は、上述の図示例にのみ限定されるものではなく、本発明の要旨を逸脱しない範囲内において種々変更を加え得ることは勿論である。
【符号の説明】
【００６９】
１００〜３００…実装構造体、１１０…回路基板、１１１…外縁部、１１０ａ…凹部、Ｇ…導電領域、１２０…導電板、１１２…外縁部、１２０ａ…凹部、１２０ｂ…係合用開口、１３０…弾性部材、１３１…第１部分、１３１Ａ…当接部分、１３２…第２部分、１３２Ａ…当接部分、１３２ａ…突片部、２１０ｂ…連通開口部、２２０ａ…開口部、２２１ａ…内縁部、４１０…電気光学パネル、４２０…照明ユニット、４３１…保持枠、４３２…前面枠、４３３…放熱板、４３４…金属カバー、５３３、６３３、７３３…支持板
【図１】
2010226001.tif 000003
【図２】
2010226001.tif 000004
【図３】
2010226001.tif 000005
【図４】
2010226001.tif 000006
【図５】
2010226001.tif 000007
【図６】
2010226001.tif 000008
【図７】
2010226001.tif 000009
【図８】
2010226001.tif 000010
【図９】
2010226001.tif 000011
【図１０】
2010226001.tif 000012
【図１１】
2010226001.tif 000013
【図１２】
2010226001.tif 000014
【図１３】
2010226001.tif 000015